(57)【要約】【課題】レンズを表裏両面から強固に固定し、かつ種々の厚さをゆする眼鏡レンズに適用可能な眼鏡レンズ取付け方法および眼鏡レンズ取付け部材を提供すること。【解決手段】ヨロイ１の一端部およびブリッジ９の両端部から延在する第１の把持腕３、第１の把持腕３の基端部から延在する長腕部４、および長腕部４に移動自在に装着される第２の把持腕５によって、取付けられる眼鏡レンズの厚さに応じて可変な間隙を有するレンズ把持部を備えたレンズ取付け部材を形成し、眼鏡レンズの取付け工程において、眼鏡レンズの厚さに応じたレンズ把持部を形成する。【選択図】  図１
2005181844.tif 000002
【特許請求の範囲】
【請求項１】
眼鏡レンズを眼鏡フレームに取付けるための眼鏡レンズ取付け方法において、
第１の把持腕と、該第１の把持腕の基端部から所定の角度をなして延在する長腕部とを備えた眼鏡レンズ取付け部材を準備する工程と、
前記眼鏡レンズ取付け部材に、前記長腕部から延在しかつ眼鏡レンズの厚さに応じた間隔を介して前記第１の把持腕に対向する第２の把持腕を設け、レンズ把持部を形成する工程と、
前記眼鏡レンズを、前記第１の把持腕と前記第２の把持腕とで夾着し、前記レンズ把持部に固着する工程と、
を含むことを特徴とする眼鏡レンズ取付け方法。
【請求項２】
前記レンズ把持部を形成する工程は、前記長腕部に移動自在に取付けられた前記第２の把持腕を、前記眼鏡レンズの厚さに応じた位置に移動するステップを含むことを特徴とする請求項１に記載の眼鏡レンズ取付け方法。
【請求項３】
前記レンズ把持部を形成する工程は、前記長腕部を前記眼鏡レンズの厚さに応じた位置で折曲げて前記第１の把持腕に対向する部分を形成し、前記第１の把持腕に対向する部分により前記第２の把持腕を形成するステップを含むことを特徴とする請求項１に記載の眼鏡レンズ取付け方法。
【請求項４】
第１の把持腕と、該第１の把持腕の基端部から所定の角度をなして延在する長腕部と、該長腕部から前記第１の把持腕に対向して延在し、その基端部が前記長腕部に移動自在に取付けられた第２の把持腕とを備えることを特徴とする眼鏡レンズ取付け部材。
【請求項５】
第１の把持腕と、該第１の把持腕から所定の角度をなして延在する長腕部とを備え、前記長腕部は、折曲げ加工可能な材料により形成されることを特徴とする眼鏡レンズ取付け部材。
【発明の詳細な説明】
【技術分野】
【０００１】
本発明は、眼鏡レンズを眼鏡フレームに取付けるための眼鏡レンズ取付け方法および眼鏡レンズ取付け部材に関し、詳しくは、いわゆるツーポイントフレームと呼ばれる縁無し眼鏡における眼鏡レンズ取付け方法およびその取付け部材に関する。
【背景技術】
【０００２】
いわゆるツーポイントフレームと呼ばれる縁無し眼鏡は、プラスチック製の眼鏡レンズ（以下、単に「レンズ」とも称する）を、その周囲にリムを設けずに眼鏡レンズ取付部材（以下、単に「取付け部材」とも称する）に直接取付け、保持する構造を有するものである。この種の眼鏡は、視界が広い、軽量である、目立たない、レンズ形状のデザインの自由度が大きいといった機能上および外観上の利点を有しているため、近年、装用者が増加している。
【０００３】
図７は、このような縁無し眼鏡１００の要部を示す斜視図である。一般に、眼鏡１００は、左右一対のレンズ５１，５１と、各レンズ５１，５１の外縁部をそれぞれ保持する左右一対の取付け部材６０，６０と、左右のレンズ５１，５１の内縁部を保持して各レンズを連結する中央の取付け部材７０とを備え、さらに、左右の各取付け部材６０は、それぞれ、ヨロイ６２と、通常はヨロイ６２の一端部に回動自在に連結されるテンプル６３と、ヨロイ６２の他端部にあってレンズを把持するレンズ把持部６１を含み、中央の取付け部材７０は、ブリッジ７２と、ブリッジの両端部にあってレンズ５１，５１を把持するレンズ把持部７１，７１と、一対の鼻当てパッド７３，７３を含むものである。このような眼鏡１００において、レンズ５１は、レンズ把持部６１，７１によって取付け部材６０，７０に直接連結され、保持されている。
【０００４】
従来、レンズ把持部６１，７１の典型的な構造には、レンズ５１の把持手段の観点から、図８（ａ）および図８（ｂ）に示すような２種類の構造がある。ここで、図８（ａ）および図８（ｂ）は、取付け部材６０におけるレンズ把持部６１を例として、その要部を断面図として示すものである。なお、取付け部材７０におけるレンズ把持部７１の構造は、これと同様のものであるため、その図示および説明を省略する。
【０００５】
図８（ａ）に示すレンズ把持部６１ａは、レンズ５１の一方の主面側に配置される第１の把持腕６４と、レンズ５１の他方の主面側に配置される第２の把持腕６５とを有し、レンズ５１を、対向する２つの把持腕６４、６５によって表裏から夾着して保持する構造を有している。この際、第１の把持腕６４、レンズ５１、および第２の把持腕６５は、通常、互いに連通する挿通孔を有し、ビス６６およびナット６７等の固着手段により互いに固着される。一方、図８（ｂ）に示すレンズ把持部６１ｂは、図８（ａ）に示す第２の把持腕６５に相当する把持腕を有さず、１つの把持腕６４とレンズ５１とを、同様にビス６６およびナット６７等の固着手段により固着することによって、レンズ５１の一方の主面のみを把持するものである。
【０００６】
これらの２つの把持手段を比較すると、図８（ａ）に示すようなレンズ把持部６１ａは、レンズ５１を取付け部材６０に強固に取付け可能な点で有利であるが、第１の把持腕６４と第２の把持腕６５とで形成される間隙が、部材に固有の寸法をもって予め定められているため、特定の部材に対して適用できるレンズの厚さに制約があり、特に、上記間隙の寸法よりも厚いレンズに対して使用することができない。周知のように、眼鏡レンズの厚さは、その仕様によって種々異なっており、また同一のレンズ内においても場所によって異なるものであるため、同一の眼鏡フレームであっても、適用するレンズおよびそのレンズの取付け位置が異なる場合は、その厚さに適合する把持部を有する種々の取付け部材が必要となる場合があった。
【０００７】
一方、図８（ｂ）に示すようなレンズ把持部６１ｂは、レンズの片面のみを把持するものであるため、レンズの厚さによらずに同一の取付け部材を使用可能であるものの、図８（ａ）の把持部６１ａに比較してレンズ５１との連結の安定性に劣ることに加えて、構造的に脆弱であり、特に、把持腕６４をレンズ５１から引き剥がそうとする方向（図８（ｂ）の例では、ヨロイ６２を外側へ開こうとする方向）への荷重がかかる場合、把持腕６４の先端部を支点とし、ビス６６と把持腕６４との接点を作用点とする梃子が形成されてしまうため、レンズ５１と把持部６１ｂとの固着部分に過大な応力が集中し、レンズ５１が破損し易いという欠点がある。
【０００８】
従来、図８（ｂ）に示す把持手段において、応力の集中を緩和するために、固着に使用するネジとレンズの貫通孔との間に弾性クッション材を挿入すること（たとえば、特許文献１参照）や、弾力性に優れた樹脂製のネジを使用すること（たとえば、特許文献２参照）などが提案されている。
【特許文献１】特開平１１−２３１２６５号公報
【特許文献２】特開２０００−２８１７８８号公報
【発明の開示】
【発明が解決しようとする課題】
【０００９】
しかしながら、上述した応力集中の緩和は、レンズ把持部の構成に別部材を追加したり、レンズ把持部を構成する材料を限定することによって達成されておりコストの高騰を招く可能性があると共に、このような手段によって応力集中が緩和されたとしても、レンズの連結・保持の安定性の観点から言えば、依然として、表裏両面から夾着し固着する方法の方が優れていると言える。
【００１０】
上記課題に鑑みて、本発明は、レンズをその表裏両面から強固に保持すると共に、同一の方法および部材でもって、種々の厚さを有する眼鏡レンズに対して適用可能な眼鏡レンズ取付け方法および眼鏡レンズ取付け部材を提供することを目的とする。
【課題を解決するための手段】
【００１１】
上記目的を達成するために、本発明に係る眼鏡レンズ取付け方法は、第１の把持腕と、該第１の把持腕の基端部から所定の角度をなして延在する長腕部とを備えた眼鏡レンズ取付け部材を準備する工程と、前記眼鏡レンズ取付け部材に、前記長腕部から延在しかつ眼鏡レンズの厚さに応じた間隔を介して前記第１の把持腕に対向する第２の把持腕を設け、レンズ把持部を形成する工程と、前記眼鏡レンズを、前記第１の把持腕と前記第２の把持腕とで夾着し、前記レンズ把持部に固着する工程と、を含むことを特徴とする。
【００１２】
特に、本発明に係る眼鏡レンズ取付け方法は、上述した方法において、前記レンズ把持部を形成する工程は、前記長腕部に移動自在に取付けられた前記第２の把持腕を、前記眼鏡レンズの厚さに応じた位置に移動するステップを含むことを特徴とする。
【００１３】
また、本発明に係る眼鏡レンズ取付け方法は、上述した方法において、前記レンズ把持部を形成する工程は、前記長腕部を前記眼鏡レンズの厚さに応じた位置で折曲げて前記第１の把持腕に対向する部分を形成し、前記第１の把持腕に対向する部分により前記第２の把持腕をするステップを含むことを特徴とする。
【００１４】
本発明の別の態様では、本発明に係る眼鏡レンズ取付け部材は、第１の把持腕と、該第１の把持腕から所定の角度なして延在する長腕部と、該長腕部から前記第１の把持腕に対向して延在し、その基端部が前記長腕部に移動自在に取付けられた第２の把持腕とを備えることを特徴とする。
【００１５】
本発明の別の態様では、本発明に係る眼鏡レンズ取付け部材は、第１の把持腕と、該第１の把持腕から所定の角度なして延在する長腕部とを備え、前記長腕部は、折曲げ加工可能な材料により形成されることを特徴とする。
【発明の効果】
【００１６】
本発明に係る眼鏡レンズ取付け方法および取付け部材によれば、対向する２つの把持腕によって形成されるレンズ把持部は、それら２つの把持腕の間の間隔が予め定められた寸法に固定されてはおらず、眼鏡レンズの眼鏡レンズ取付け部材への取付け工程中に、その眼鏡レンズの厚さに応じて形成されるため、種々の厚さを有する眼鏡レンズを、単一の取付け部材を使用してその表裏両面から夾着し、強固に固定することが可能となる。
【００１７】
特に、第１の把持腕と、第１の把持腕に対して所定の角度なして延在する長腕部に移動自在に取付けられた第２の把持腕とを備えるレンズ取付け部材を使用し、第２の把持腕を移動することによりレンズ把持部を形成することによって、対向する２つの把持腕の間の間隔が可変であるようなレンズ把持部を容易に達成することが可能となる。
【００１８】
さらに、長腕部を折曲げ加工可能な材料により形成し、その長腕部を折り曲げて第２の把持腕を形成することによって、対向する２つの把持腕の間の間隔が可変であるようなレンズ把持部を形成するために必要な部品点数を低減し、その構造を単純化することが可能となる。
【発明を実施するための最良の形態】
【００１９】
以下、本発明の実施の形態を図面に基づいて説明する。図１（ａ）および、図１（ｂ）は、本発明に係るレンズ取付け部材の第１の実施形態を示す分解斜視図である。ここで、図１（ａ）に示すレンズ取付け部材１０は、左右一対の眼鏡レンズ（図示せず）の各外縁を、それぞれ保持する左右一対のレンズ取付け部材の１つであり、ヨロイ１を含むものである。ヨロイ１の一端部にはテンプル２が回動自在に連結され、ヨロイ１の他端部からは、その先端部に挿通孔７を有する第１の把持腕３が延在し、第１の把持腕３の基端部からは、長腕部４が、第１の把持腕３の延在方向に対して略垂直に延在している。第２の把持腕５は、その基端部に開口部６を有し、この開口部６に長腕部４を貫通させて長腕部４に摺動自在に装着され、第１の把持腕３に対向するものである。また、第２把持腕５の先端部には、長腕部４への装着時に、挿通孔７と略同心に対向する挿通孔８が形成されている。
【００２０】
図１（ｂ）に示すレンズ取付け部材２０は、左右の眼鏡レンズ（図示せず）の内縁を保持し、各眼鏡レンズを連結するレンズ取付け部材であり、ブリッジ９を含むものである。ブリッジ９の両端部には、それぞれ、第１の把持腕３，３、長腕部４，４、および第２の把持腕５，５が、図１（ａ）のレンズ取付け部材１０の対応する構成要素と同様の構成を有して設けられている。なお、取付け部材２０は、たとえば鼻当てパッド等のその他の構成要素を含んでいてもよいが、その他の可能な構成要素は従来のものと同様とすることができるため、図示および説明を省略する。
【００２１】
ここで、レンズ取付け部材１０、２０を形成する材料は、たとえば金、洋白、モネル（Ｒ）、サンプラチナ、チタン等の、眼鏡フレームを形成するために好適に使用される任意の金属または合金、またはその他の材料とすることができる。また、図１（ａ）および図１（ｂ）に示すレンズ取付け部材１０、２０では、第１の把持腕３と長腕部４とを一体の部材として形成し、この部材を、たとえばろう接等の接続手段によってヨロイ１（またはブリッジ９）に接続するものとするが、本発明に係るレンズ取付け部材は、この形態に限定されるものではなく、たとえば、ヨロイ１（またはブリッジ９）と第１の把持腕３とを一体に形成し、長腕部４を、たとえばろう接等によって接続するものであってもよい。
【００２２】
次に、図２Ａ〜図２Ｅを参照し、本発明に係る眼鏡レンズ取付け方法の第１の実施形態を説明する。図２Ａ〜図２Ｅを通じて、図面の上方向は眼鏡の装用時における前方向（視線方向）に対応し、図面の下方向は、眼鏡の装用時における後方向（顔方向）に対応する。なお、説明のための例として、図１（ａ）に示す眼鏡レンズ取付け部材１０を用いるが、本実施形態における眼鏡レンズの取付け方法は、図１（ｂ）に示す眼鏡取付け部材２０の場合も同様である。
【００２３】
図２Ａは、図１（ａ）に示す眼鏡レンズ取付け部材１０の平面図である。本実施形態における眼鏡レンズ取付け方法は、まず、このような眼鏡レンズ取付け部材１０を準備する工程から開始するものである。本実施形態では、この段階において、第２の把持腕５は、長腕部４にはまだ装着されていないものとする。その後、図２Ｂに示すように、第２の把持腕５を、その開口部６に長腕部４を貫通させて装着すると共に、眼鏡レンズ１１を、第１の把持腕３と第２の把持腕５との間に配置する。このとき、眼鏡レンズ１１には、眼鏡レンズ１１を所定の位置に配置した時に、挿通孔７、８に略同心に連通する挿通孔１２が予め形成されているものとする。
【００２４】
次いで、図２Ｃに示すように、第２の把持腕５を長腕部４に沿って前方に移動させ、眼鏡レンズ１１を、第１の把持腕３と第２の把持腕５とで、その表裏両面から夾着する。本実施形態では、この工程において、第１の把持腕３と、眼鏡レンズ１１の厚さに応じた間隔を介して第１の把持腕３に対向する第２の把持腕５とで構成されるレンズ把持部５０が形成されるものである。このとき、必要な場合には、眼鏡レンズ１１が、挿通孔７、８、１２が略同心に連通する所定の位置に配置されるように、その位置を調整する。
【００２５】
次いで、図２Ｄに示すように、挿通孔７、８、１２を貫通するビス１３、およびナット１４を使用することによって、レンズ把持部５０と眼鏡レンズ１１とを固着し、その後、必要な場合には、図２Ｅに示すように、長腕部４を切断して不要の後端部を除去し、眼鏡レンズ取付け部材１０への眼鏡レンズ１１の取付けを完了する。
【００２６】
なお、本発明に係る眼鏡レンズ取付け方法は、図２Ａおよび図２Ｂに示す工程における個々のステップの態様および順序には限定されない。たとえば、本実施形態では、眼鏡取付け部材１０の第２の把持腕は長腕部４から脱離可能とし、第２の把持腕の未装着状態から取付け工程を開始するものとした（図２Ａ）が、長腕部４はその後端部に脱離防止用の突起等を備え、予め図２Ｂに示す態様の長腕部４に把持腕５が装着された眼鏡レンズ取付け部材１０として提供されるものであってもよい。
【００２７】
次に、本発明に係るレンズ取付け部材の第２の実施形態を説明する。図３（ａ）および、図３（ｂ）は、本発明に係るレンズ取付け部材の第２の実施形態を示す斜視図である。ここで、図３（ａ）に示すレンズ取付け部材３０は、左右一対の眼鏡レンズ（図示せず）の各外縁を、それぞれ保持する左右一対のレンズ取付け部材の１つであり、ヨロイ１を含むものである。ヨロイ１の一端部にはテンプル２が回動自在に連結され、ヨロイ１の他端部からは、その先端部に挿通孔７を有する第１の把持腕３が延在し、第１の把持腕３の基端部からは、長腕部４が、第１の把持腕３の延在方向に対して略垂直に延在している。
【００２８】
図３（ｂ）に示すレンズ取付け部材４０は、左右の眼鏡レンズ（図示せず）の内縁を保持し、各眼鏡レンズを連結するレンズ取付け部材であり、ブリッジ９を含むものである。ブリッジ９の両端部には、それぞれ、第１の把持腕３，３、長腕部４，４が、図３（ａ）のレンズ取付け部材１０の対応する構成要素と同様の構成を有して設けられている。なお、取付け部材４０は、たとえば鼻当てパッド等のその他の構成要素を含んでいてもよいが、その他の可能な構成要素は従来のものと同様とすることができるため、図示および説明を省略する。
【００２９】
ここで、レンズ取付け部材３０、４０の長腕部４は、折曲げ加工が可能な材料から形成され、具体的には、たとえば金、洋白、モネル（Ｒ）、サンプラチナ、チタン等の、眼鏡フレームを形成するために好適に使用される金属または合金とすることができる。また、図３（ａ）および図３（ｂ）に示すレンズ取付け部材３０、４０では、第１の把持腕３と長腕部４とを一体の部材として形成し、この部材を、たとえばろう接等の接続手段によってヨロイ１（またはブリッジ９）に接続するものとするが、本発明に係るレンズ取付け部材は、この形態に限定されるものではなく、たとえば、ヨロイ１（またはブリッジ９）と第１の把持腕３とを一体に形成し、長腕部４を、たとえばろう接等によって接続するものであってもよい。
【００３０】
次に、図４Ａ〜図４Ｆを参照し、本発明に係る眼鏡レンズ取付け方法の第２の実施形態を説明する。図４Ａ〜図４Ｆを通じて、図面の上方向は眼鏡の装用時における前方向（視線方向）に対応し、図面の下方向は、眼鏡の装用時における後方向（顔方向）に対応する。なお、説明のための例として、図３（ａ）に示す眼鏡レンズ取付け部材３０を用いるが、本実施形態における眼鏡レンズの取付け方法は、図３（ｂ）に示す眼鏡取付け部材４０の場合も同様である。
【００３１】
図４Ａは、図３（ａ）に示す眼鏡レンズ取付け部材３０の平面図である。本実施形態における眼鏡レンズ取付け方法は、まず、このような眼鏡レンズ取付け部材３０を準備する工程から開始するものである。次いで、図４Ｂに示すように、長腕部４を、折り曲げ加工することによって、長腕部４に、第１の把持腕３に対向する水平部分４ｂを形成する。このとき、第１の把持腕３と水平部分４ｂとの間の間隔ｄは、取付けられる眼鏡レンズ（図示せず）の厚さに応じて決定され、本実施形態では、この間隔ｄは、眼鏡レンズの厚さと略同一に形成され、後述する工程（図４Ｅ参照）において、この間隙に眼鏡レンズを収容可能であって、かつ第１の把持腕３と長腕部４の水平部分４ｂとで、収容された眼鏡レンズを夾着可能であるものとする。具体的には、取付けられる眼鏡レンズの一方の主面を第１の把持腕に当接させ、その時の他方の主面の位置を長腕部４に任意の適切な手段によってマークした後、その眼鏡レンズを取り外し、マークに沿って折曲げ加工を実施してもよい。
【００３２】
次いで、図４Ｃに示すように、長腕部４の水平部分４ｂに挿通孔７と略同心に挿通孔８を形成する。この際、好ましくは、穿孔に使用するドリル等の刃を前方から挿通孔７に通して長腕部４の水平部分４ｂに当接させることによって、挿通孔７をガイドとして挿通孔８の中心を位置決めすることができるため、略同心な挿通孔８を容易に形成することができる。その後、必要な場合、図４Ｄに示すように、長腕部４の水平部分４ｂを切断し、好ましくは、その長さが第１の把持腕３の長さと略同一になるように揃えるものである。本実施形態では、この工程（または、切断が必要ない場合には、図４Ｃに示す穿孔工程）において、長腕部４の水平部分４ｂが第２の把持腕として完成され、これによって、第１の把持腕３と、眼鏡レンズの厚みに応じた間隔を介して第１の把持腕３に対向する第２の把持腕とで構成されるレンズ把持部５０が形成されるものである。以後の説明では、本工程終了後の長腕部４の水平部分４ｂを、第２の把持腕４ｃと呼ぶものとする。
【００３３】
上述した工程の後、図４Ｅに示すように、眼鏡レンズ１１を第１の把持腕３と第２の把持腕４ｃとで形成される間隙に収容し、所定の位置に配置する。この際、眼鏡レンズ１１は、図４Ｂに関連させて上述したように、第１の把持腕３および第２の把持腕４ｃによって、その表裏両面から夾着されるものである。また、眼鏡レンズ１１には、眼鏡レンズ１１を所定の位置に配置した時に、挿通孔７、８に略同心に連通する挿通孔１２が予め形成されているものとする。
【００３４】
その後、図４Ｆに示すように、挿通孔７、８、１２を貫通するビス１３、およびナット１４を使用することによってレンズ把持部５０と眼鏡レンズ１１とを固着して、眼鏡レンズ取付け部材３０への眼鏡レンズ１１の取付けを完了する。
【００３５】
なお、本発明に係る眼鏡レンズ取付け方法は、図４Ｃおよび図４Ｄに示す工程における個々のステップの態様および順序には限定されない。たとえば、本実施形態では、眼鏡レンズ取付け部材３０において、第１の把持腕３には予め挿通孔７が形成されているものとしたが、この挿通孔７は、図４Ｃに示す工程において挿通孔８を形成する際に、同時にまたは順次形成されるものであってもよい。また、所望の場合、図４Ｃに示す穿孔工程と、図４Ｄに示す切断工程の順序を入れ替えて実施することもできる。
【００３６】
ここで、本発明に係る眼鏡レンズ取付け部材の別の実施形態として、図３（ａ）に示す眼鏡レンズ取付け部材３０は、図４Ｃに示す穿孔工程においてドリル等の刃先の逃げを防止するため、図５に示すように、その長腕部４の、ドリル等の刃先が当接する側の面（上述した好ましい穿孔方法の場合、第１の把持腕３が延在する側の面）上に、長手方向に沿って配列された複数の窪み部１６を有していてもよい。また、本発明に係る眼鏡レンズ取付け部材のさらに別の実施形態として、眼鏡レンズ取付け部材３０は、図４Ｂに示す工程において長腕部４を折曲げるためのガイドとして、図６に示すように、長腕部４の一方または両方の面上に、長腕部４の横手方向に形成されかつその長手方向に配列された複数の溝部１７を有していてもよい。
【００３７】
また、上述した実施形態を通じて、眼鏡レンズ取付け部材１０、２０、３０、４０の長腕部４の長さは、適用が想定される眼鏡レンズの最大厚さ等を考慮して決定されるものであり、具体的には、強度レンズに対応するため、約１２ｍｍ程度とするのが好適である。また、上述した実施形態を通じて、眼鏡レンズ取付け部材１０、２０、３０、４０の長腕部４は、第１の把持腕３に対して略垂直に延在するものとしたが、長腕部４は、たとえば取付けられる眼鏡レンズの形状等の条件によっては、その条件に適合する任意の所定の角度をなして延在するものであってもよく、その際、長腕部４の長さは、眼鏡レンズ１１の厚さ方向に対する角度等の条件も考慮して適宜決定されるものである。
【００３８】
さらに、上述した実施形態を通じて、第１の把持腕３および第２の把持腕５、４ｃは眼鏡レンズ１１に直接当接するものとしたが、これらの構成要素間の任意の箇所に、たとえば金属製または樹脂製のワッシャ等を介在させてもよく、その際、第１の把持腕と第２の把持腕５、４ｃとで構成される間隙の寸法は、介在するワッシャの厚さを考慮して適宜調整されるものである。また、眼鏡レンズ１１をレンズ把持部５０に固着する手段としては、好ましくは金属製のビス１３およびナット１４を使用し、その際、挿通孔７、８には、使用するビス１３に応じたネジ溝が切られているものとするが、本発明に係る眼鏡レンズ取付け方法はこの固着手段の具体的態様によらず、たとえば接着等の他の固着手段を使用するものであってもよい。
【図面の簡単な説明】
【００３９】
【図１】本発明に係る眼鏡レンズ取付け部材の第１の実施形態を示す分解斜視図であり、（ａ）はヨロイを含む眼鏡取付け部材を示す図、（ｂ）はブリッジを含む眼鏡取付け部材を示す図である。
【図２Ａ】本発明に係る眼鏡レンズ取付け方法の第１の実施形態において、眼鏡レンズ取付け部材の準備工程を示す平面図である。
【図２Ｂ】本発明に係る眼鏡レンズ取付け方法の第１の実施形態において、眼鏡レンズ取付け部材への眼鏡レンズの配置工程を示す平面図である。
【図２Ｃ】本発明に係る眼鏡レンズ取付け方法の第１の実施形態において、第１の把持腕の移動工程を示す平面図である。
【図２Ｄ】本発明に係る眼鏡レンズ取付け方法の第１の実施形態において、固着工程を示す平面図である。
【図２Ｅ】本発明に係る眼鏡レンズ取付け方法の第１の実施形態において、長腕部の切断工程を示す平面図である。
【図３】本発明に係る眼鏡レンズ取付け部材の第２の実施形態を示す斜視図であり、（ａ）はヨロイを含む眼鏡取付け部材を示す図、（ｂ）はブリッジを含む眼鏡取付け部材を示す図である。
【図４Ａ】本発明に係る眼鏡レンズ取付け方法の第２の実施形態において、眼鏡レンズ取付け部材の準備工程を示す平面図である。
【図４Ｂ】本発明に係る眼鏡レンズ取付け方法の第２の実施形態において、長腕部の折り曲げ工程を示す平面図である。
【図４Ｃ】本発明に係る眼鏡レンズ取付け方法の第２の実施形態において、長腕部の穿孔工程を示す平面図である。
【図４Ｄ】本発明に係る眼鏡レンズ取付け方法の第２の実施形態において、長腕部の切断工程を示す平面図である。
【図４Ｅ】本発明に係る眼鏡レンズ取付け方法の第２の実施形態において、眼鏡レンズ取付け部材への眼鏡レンズの配置工程を示す平面図である。
【図４Ｆ】本発明に係る眼鏡レンズ取付け方法の第２の実施形態において、固着工程を示す平面図である。
【図５】本発明に係る眼鏡レンズ取付け部材の別の実施形態を示す斜視図である。
【図６】本発明に係る眼鏡レンズ取付け部材のさらに別の実施形態を示す斜視図である。
【図７】従来の縁無し眼鏡を示す斜視図である。
【図８】従来の眼鏡レンズ取付け部材におけるレンズ把持部を示す断面図である。
【符号の説明】
【００４０】
１    ヨロイ
３    第１の把持腕
４    長腕部
４ｃ，５    第２の把持腕
９  ブリッジ
１０，２０，３０，４０    眼鏡レンズ取付け部材
５０    レンズ把持部
【図１】
2005181844.tif 000003
【図２Ａ】
2005181844.tif 000004
【図２Ｂ】
2005181844.tif 000005
【図２Ｃ】
2005181844.tif 000006
【図２Ｄ】
2005181844.tif 000007
【図２Ｅ】
2005181844.tif 000008
【図３】
2005181844.tif 000009
【図４Ａ】
2005181844.tif 000010
【図４Ｂ】
2005181844.tif 000011
【図４Ｃ】
2005181844.tif 000012
【図４Ｄ】
2005181844.tif 000013
【図４Ｅ】
2005181844.tif 000014
【図４Ｆ】
2005181844.tif 000015
【図５】
2005181844.tif 000016
【図６】
2005181844.tif 000017
【図７】
2005181844.tif 000018
【図８】
2005181844.tif 000019